(57)【要約】【課題】  感覚鈍化器具に確実に装着できるとともに、必要なときに取り外すことができる感覚鈍化器具用振動ユニット及び感覚鈍化器具の使用方法を提供する。【解決手段】  本発明は、陰茎に使用する感覚鈍化器具（１１）用の振動ユニット（７）を備え、この振動ユニットは、本体（９）及び本体から外方に突出した一つ以上の側面部材（１０）を有し、上記振動ユニットは、感覚鈍化器具内に留まる外部形状を有する。さらに、本発明は、感覚鈍化器具の振動ユニット（７）、及び感覚鈍化器具を使用者の陰茎に対して接触及び離反させる使用方法を提供する。【選択図】図３
2013524980.tif 000002
【特許請求の範囲】
【請求項１】
陰茎の感覚鈍化器具用の振動ユニットであって、
本体及びこの本体から外方に突出した一つ以上の側面部材を有し、
上記振動ユニットは、上記感覚鈍化器具内に留まる外部形状を有すること、を特徴とする感覚鈍化器具用振動ユニット。
【請求項２】
請求項１記載の振動ユニットにおいて、上記振動ユニットの本体は実質的に細長く、本体から実質的に直交して延びた一つ以上の側面部材を備えている感覚鈍化器具用振動ユニット。
【請求項３】
請求項１または２記載の感覚鈍化器具用振動ユニットにおいて、それ自体が可撓性弾性素材で形成され、感覚鈍化器具に着脱可能に装着されている感覚鈍化器具用振動ユニット。
【請求項４】
請求項３記載の感覚鈍化器具用振動ユニットにおいて、上記感覚鈍化器具は、その変形前の状態で、少なくとも上記振動ユニットの外部形状の一部と一致する変形可能な開口が形成された感覚鈍化器具用振動ユニット。
【請求項５】
請求項１ないし４のいずれか１項記載の感覚鈍化器具用振動ユニットにおいて、上記振動ユニットは、モータと、駆動軸と、非対称に装着された振動子とを含む感覚鈍化器具用振動ユニット。
【請求項６】
請求項５記載の感覚鈍化器具用振動ユニットにおいて、上記モータ及び駆動軸は、上記本体の長手方向軸に沿って装着されている感覚鈍化器具用振動ユニット。
【請求項７】
請求項５または６記載の感覚鈍化器具用振動ユニットにおいて、上記本体の長手方向軸に直交して延びた一以上の側面素子内に、スイッチ要素が内蔵されている感覚鈍化器具用振動ユニット。
【請求項８】
請求項５ないし７のいずれか１項記載の感覚鈍化器具用振動ユニットにおいて、上記非対称に装着された振動子は、半円部材を備えている感覚鈍化器具用振動ユニット。
【請求項９】
請求項１ないし８のいずれか１項記載の感覚鈍化器具用振動ユニットにおいて、上記振動ユニットは非対称に装着された回転カムを有し、この回転カムの回転に伴い、回転軸から外方に延びた突起が所定の範囲内において移動する感覚鈍化器具用振動ユニット。
【請求項１０】
請求項１ないし８のいずれか１項記載の感覚鈍化器具用振動ユニットにおいて、上記振動ユニットは、回転可能な細長い軸に装着されたカム面を有し、このカム面は、盛り上がった螺旋形の翼を有し、この螺旋翼はカム面の回転にともなって長手方向に移動する接触翼を構成する感覚鈍化器具用振動ユニット。
【請求項１１】
請求項１０記載の感覚鈍化器具用振動ユニットにおいて、上記回転カム面は、表面に螺旋形の翼を有する筒状部材を形成している感覚鈍化器具用振動ユニット。
【請求項１２】
請求項１０または１１記載の感覚鈍化器具用振動ユニットにおいて、上記回転カム面は、隣接する、弾性接触片とそれらが接触する領域において変形可能な螺旋翼片を備えた感覚鈍化器具用振動ユニット。
【請求項１３】
請求項１乃至１２のいずれか１項記載の感覚鈍化器具用振動ユニットにおいて、上記振動ユニットは、対向する一対のシェルから形成され、この一対のシェルは、内部構成要素を内蔵して合わせられ、防水されている感覚鈍化器具用振動ユニット。
【請求項１４】
請求項１乃至１３のいずれか１項記載の感覚鈍化器具用振動ユニットを着脱可能に収容したことを特徴とする感覚鈍化器具。
【請求項１５】
請求項１４記載の感覚鈍化器具において、円弧状の外形を呈する使用者接触面を備えている感覚鈍化器具。
【請求項１６】
請求項１４または１５記載の感覚鈍化器具において、使用者接触面の外形は、複雑な曲面である感覚鈍化器具。
【請求項１７】
請求項１４乃至１６のいずれか１項記載の感覚鈍化器具において、使用者接触面は、双曲放物面である感覚鈍化器具。
【請求項１８】
請求項１４乃至１７記載の感覚鈍化器具は、一以上の異なる刺激のパターン、速さ及び強度からなる可変振動設定を有する感覚鈍化器具。
【請求項１９】
請求項１８記載の感覚鈍化器具において、上記振動設定は、予め定めた処置内容により異なる感覚鈍化器具。
【請求項２０】
請求項１４乃至１９のいずれか１項記載の感覚鈍化器具において、上記装置の外表面は、使用者の指と手のひらとの間に正確に握られる形状である感覚鈍化器具。
【請求項２１】
請求項２０記載の感覚鈍化器具は、側面翼と、一またはそれぞれが、使用者の指及び／または手のひらと指を接続する領域に収容される凹状の外形状を有する感覚鈍化器具。
【請求項２２】
請求項１乃至１３のいずれか１項に記載の感覚鈍化器具用振動ユニットと、
請求項１４乃至２１のいずれか１項記載の感覚鈍化器具を備えたこと、を特徴とする感覚鈍化システム。
【請求項２３】
感覚鈍化器具を使用する方法であって、
上記器具は、使用者の手のひらと曲げた指との間に保持される形状を有し；
使用者が、親指で亀頭の下側を握り、上記器具を陰茎の裏側部分に接触させ、親指と陰茎の接触をピボット面として上記器具をピボットさせるステップ；及び
使用者が、上記器具による刺激が不要になったとき、ピボット面においてピボットさせている上記器具を陰茎との接触から離反させるステップ；を有すること特徴とする感覚鈍化器具の使用方法。
【請求項２４】
請求項２３記載の感覚鈍化器具の使用方法において、使用者が射精衝動を感じたとき、上記器具を陰茎から離す感覚鈍化器具の使用方法。
【請求項２５】
請求項２３または２４記載の感覚鈍化器具の使用方法において、ピボットと離反動作の繰り返しは４５分までとして、これを少なくとも週に３回、６週間繰り返す感覚鈍化器具の使用方法。
【請求項２６】
請求項２３乃至２５のいずれか１項記載の感覚鈍化器具の使用方法において、上記ピボットと離反動作ステップを３０分までとして繰り返す感覚鈍化器具の使用方法。
【発明の詳細な説明】
【技術分野】
【０００１】
本発明は、体の一部、特に陰茎を刺激して感覚を鈍化させる器具に関する。
【背景技術】
【０００２】
本出願人は、この種の器具をEP1049433号公報により開示している。EP1049433号公報では、早漏に関係していた問題を緩和する方法を提案し、陰茎の目的とする刺激をある程度含むこの方法によって、射精に結びつくかもしれない他の刺激により感覚が鈍化され、耐えられるようになった。その結果、射精までの時間を延ばすことが可能になった。
【０００３】
本発明は、陰茎の感覚鈍化器具用の振動ユニットであって、該振動ユニットは、本体及びこの本体から外方に突出した一つ以上の側面部材を有し、上記振動ユニットは、感覚鈍化器具内に留まる外部形状を有すること、を特徴とする。この構成によれば、振動ユニットを使用するとき感覚鈍化器具に確実に装着できるとともに、必要なとき、例えば、交換、清浄、修理またはアップグレードが必要になったときに、感覚鈍化器具から取り外すことができる。
【０００４】
好ましくは、振動ユニットの本体は実質的に細長く、本体から実質的に直交して延びた一つ以上の側面部材を備え、振動ユニットは、それ自体が可撓性弾性素材で形成され、感覚鈍化器具に着脱可能に装着される。側面部材は、器具の横方向剛性を高めるので、使用者がしっかりと握って使用できる。
【０００５】
望ましくは、上記感覚鈍化器具には、その変形前の状態で、少なくとも上記振動ユニットの外部形状の一部と一致する変形可能な開口が形成されている。
【０００６】
好ましくは、上記振動ユニットは、モータと、駆動軸と、非対称に装着された振動子を含み、上記モータ及び駆動軸は、上記本体の長手方向軸に沿って装着される。この構成は、コンパクトな配置に寄与する。あるいは、振動ユニットを、いわゆる「パンケーキ」モータで構成できる。
【０００７】
本体の長手方向軸に直交して延びた一以上の側面素子内には、スイッチ要素を内蔵することができる。この構成は器具の小型化に寄与し、同時に器具の横のスイッチ要素に適切にアクセスすることを可能にする。スイッチ要素は、任意の好適な構成、例えばスライドスイッチまたは押しボタンスイッチから構成することが可能である。
【０００８】
非対称に装着された振動子は、半円形素子により構成できる。代わりにまたは加えて、非対称回転カムを使用できる。この非対称回転カムが回転すると、回転軸から外方に延びた突起が所定の範囲内において移動する。この構成は、可撓性薄部材を通して使用者に直接伝えることができるパルスを発生する。
【０００９】
上記振動ユニットは、回転可能な細長い軸に装着されたカム面を有し、このカム面は、盛り上がった螺旋形の翼を有し、カム面の回転にともなって長手方向に移動する接触翼を備えることが好ましい。上記回転カム面は、表面に螺旋形の翼を有する筒状部材を形成している。上記回転カム面は、隣接する、弾性接触片とそれらが接触する領域において変形可能な螺旋翼片を備えている。これにより、使用者は、螺旋翼の長手方向の往復による波状またはなでるような感覚を体験できる。
【００１０】
上記振動ユニットは、一実施形態では、対向する一対のシェルから形成されていて、この一対のシェルは、内部構成要素を内蔵して合わせられ、防水されている。
【００１１】
本発明は、上記振動ユニットを着脱可能に収容した感覚鈍化器具を含むことを特徴とする。
【００１２】
感覚鈍化器具は、使用者接触面が円弧状の外形、例えば双曲放物面のような複雑な曲面により構成してもよい。この構成は、使用者の陰茎との接触面領域を最適化できる。
【００１３】
上記装置の外表面は、使用者の指と手のひらとの間に正確に握られる形状とすることが好ましい。このため、側面翼と、一またはそれぞれが、使用者の指及び／または手のひらと指を接続する領域に収容される凹状の外形状を有する。これにより、使用者は、直感的に器具が正確に導かれて最適パフォーマンスを得ることができる。
【００１４】
上記振動ユニットは、可変振動設定を有することが好ましく、例えば予め定めた処置内容に応じた異なるパターン、速度及び強さの刺激を与えることが可能になる。これは、例えば、1つまたは複数の振動速度、パルスの強さ、または異なる刺激のタイプを含むことができる。
【００１５】
本発明は、別の態様では、上記いずれかの振動ユニットと、上記いずれかの感覚鈍化器具を含むことを特徴とする。
【００１６】
本発明は、さらに別の態様では、感覚鈍化器具を使用する方法であって、器具は、使用者の手のひらと曲げた指との間に保持される形状を有し；使用者は、器具は、使用者の手のひらと曲げた指との間に保持される形状を有し；使用者が、親指で亀頭の下側を握り、上記器具を陰茎の裏側部分に接触させて、親指と陰茎の接触をピボット面として上記器具を回転させるステップ；及び使用者が、上記器具による刺激が不要になったとき、回転させている器具をピボット面から離すステップ；を有することを特徴とする。
【００１７】
使用者は、射精衝動を感じたときに、上記器具を陰茎から離すことが好ましい。
【００１８】
ピボットと接触動作の繰り返しは４５分までとして、これを少なくとも週に３回、６週間繰り返すのが好ましい。より好ましくは、上記ピボットと接触動作ステップを３０分まで繰り返し、これを少なくとも週に３回、６週間繰り返す。
【図面の簡単な説明】
【００１９】
本発明の好ましい実施形態について、以下の添付図面を参照して説明する。
【００２０】
【図１】本発明の感度鈍化器具の第１の実施形態を上から見た斜視図である。
【図２】本発明の感度鈍化器具の第１の実施形態を下から見た斜視図である。
【図３】第１の実施形態の振動装置を感度鈍化器具から取り外した状態を示す斜視図である。
【図４】本発明の第１の実施形態の感覚鈍化器具の側部を切断した斜視図である。
【図５】本発明の第１の実施形態の感覚鈍化器具の切断平面図である。
【図６】本発明の第２の実施形態の感覚鈍化器具を示す一部切断斜視図である。
【図７】本発明の第３の実施形態の感覚鈍化器具を示す一部切断斜視図である。
【図８】本発明の第４の実施形態の感覚鈍化器具の一部切断斜視図である。
【図９】本発明の第４の実施形態の感覚鈍化器具の平面図である。
【図１０】本発明の使用状態の実施形態を示す斜視図である。
【図１１】本発明の使用状態の実施形態を示す斜視図である。
【図１２】本発明の使用状態の実施形態を示す斜視図である。
【発明を実施するための形態】
【００２１】
図１及び図２は陰茎の過敏性を軽減する感覚鈍化器具１を上方及び下方から見た斜視図である。この装置は、オープンチャネル形状（半円筒形状）の接触部２を有する。チャネル状の部材は、陰茎が特に勃起または半勃起したときの陰茎の本体部の裏側の形状に略合致する。接触部は、この点で、使用者の陰茎に容易に装着し、整列可能な形状にされる。この形状は、本装置を操作している間、本装置を亀頭の付け根の正しい位置に当てて、保持することが容易になる。
【００２２】
チャネル（筒）状部材の内側表面に、ドーム３を形成する突起が備えられている。ドームはチャネル状部材の内側に、すなわち、陰茎の本体部の下側の形状に沿って内方に延びている。ドーム３は、陰茎の亀頭の基部領域に嵌合可能である。
【００２３】
３次元形状を有しているので、ドームが大幅に増加し、陰茎の亀頭の基部部分に接触する領域が拡大する。これにより、ドームは、確実に陰茎の下側の亀頭冠への接触を促進する。この拡大した接触は、器具の刺激を増強するとともに感覚鈍化効果を促進する。
【００２４】
複数の側翼４がチャネル状部材に備えられている。これらの側面翼は、さらに陰茎、特に環状部の下側周囲への接触を促進する。図示したように、これらの翼は、冠の輪郭と一致するように取り囲む輪郭に形成され、陰茎のこの領域との接触に最適化されている。
【００２５】
図示したように、上部陰茎対向面は複雑な曲面に形成されている。複雑な曲面は、使用者の亀頭または亀頭付近の陰茎の長さに一致したチャネルを規定する第１の凹面と、チャネルを横断する方向に形成されたドームまたはこぶ３を有する第２の凸面との組み合わせからなる。この複雑な曲面（複合カーブ）は、実質的に「鞍形状」または双曲放物面である。
【００２６】
このユニットは、接触部から独立した側部４を有し、これは使用者が保持する領域としての窪み部分と対向している。この保持領域は、使用者によって正確に、快適にユニットを保持することが可能に設定されている。振動部材７を操作するスイッチ６が窪み領域に設けられている。
【００２７】
振動ユニット７は、回して見た図３に示したように、本体９及び該本体から外方に直交して延びた一対の対向側腕部材１０を備えている。この振動ユニットは、感覚鈍化器具の弾性刺激ユニット１１にぴったり収納される。振動ユニットは、開口１２を変形させて、刺激ユニット１１の内部に着脱可能に挿入される。側腕部材１０は、刺激ユニットの窪みに沿って位置し、振動ユニットの外観形状は、刺激ユニットとの係合を強化する。
【００２８】
振動ユニットは、図４及び図５に示すように、モータ１４、駆動軸、バッテリ１５及び非対称に装着された振動子１６を示している。モータ及び駆動軸は、本体９の長手方向軸に沿って装着されている。
【００２９】
スイッチ要素１７は、側腕部材１０内に装着されている。これらの構成要素は、振動ユニットの操作を制御する。側腕部材は内部フレームの要素として機能し、器具の横剛性を強化して、使用者が使用の際に本装置をしっかりグリップする能力を高める。
【００３０】
非対称に装着された振動子１６は、半円形の部材を備えている。非対称に装着された振動子の回転は、振動ユニットに振動を引き起こし、振動ユニットが接触した物に振動を付与する。
【００３１】
図６に示したように、本発明の別の実施形態の振動ユニットは、非対称に装着された回転カム１９を有し、この回転カムが回転すると、回転軸から外方に延びた突起の範囲が変化する。使用中、カムは、振動ユニットの柔軟薄部材２０の上部対向面に接触する。これにより、カム１９が回転すると、部材２０にパルス（鼓動）を発生し、使用者の陰茎に器具を当てていると、パルスが器具から陰茎に直接伝わる。
【００３２】
さらに本発明の別の実施形態を図７に示した。この実施形態は、振動部材が、盛り上がった螺旋翼（尾根）２２を有する回転シリンダー２１を備え、この螺旋翼は、シリンダーの回転により長手方向に移動しながら接触する。移動する螺旋翼は、柔軟な接触片２３を介して使用者に伝わる。振動部材は、制御部材（図示せず）により使用者の好みに応じた異なる振動パターンで制御される。
【００３３】
振動パターンの一つは、振動速度または指定された波形パターンによる螺旋翼の軸方向往復運動により得られる。
【００３４】
モータ１４は、図７に示したように、シリンダー２１と軸方向に隣接させるだけでなく、同心状に配置してもよい。
【００３５】
振動ユニットは、一対の対向するシェル（殻）で構成され、一対のシェルは、ユニットの内蔵構成要素を収納し、互いに防水状態で合わされる。
【００３６】
本発明の装置は、陰茎が鈍感になる程度に陰茎を刺激し、射精を遅らせることができるので、早漏の患者に使用することができる。
【００３７】
本発明は、本装置を用いて陰茎を鈍感化する方法を提供するものであり、その使用方法は、基本的には本装置を繰り返し使用し、陰茎を刺激に対して寛容化する。
【００３８】
この点で、振動ユニットは、刺激の異なるパターン、速さ及び強さ、例えば所定の治療体系からなるバリエーションを備えてもよい。この方法で、刺激のレベルは、例えば、処置段階が進むに連れて段階的に上げることもできる。これは、振動速度の上昇、パルスの強さまたは刺激の種類の変更を伴うこともできる。
【００３９】
本発明は、取り外し可能という性質の観点から、振動ユニットは、異なるタイプの、例えば異なる刺激投影パターンの異なるタイプの刺激器具を着脱可能とすることができる。一つの治療体系では、使用者は、振動ユニットと幾つかの刺激器具を、それぞれについて、いつ、どのくらいの時間使用するかの情報とともに所有することができる。
【００４０】
以上の実施形態の振動ユニットは、カムモータを含んでいる。しかし、図８及び図９に示したように、平坦なカム無し「パンケーキ」型モータを使用することもできる。この実施形態の「パンケーキ」モータ３０は、振動動作する。スイッチ要素３７は、振動効果の制御を操作するスイッチ６と接続されている。
【００４１】
使用者は、本装置を使用するとき、最初に陰茎の亀頭の裏面に潤滑剤をたっぷり塗る。そうして使用者は、装置が振動するように振動ユニットのスイッチ６をオンする。
【００４２】
そうしてこの装置は、図１０に示すように、ユーザーの手４０のすぼめられた指４１で形成された凹部内に収められる。使用者の親指４２は、図１１に示したように、振動装置を亀頭の下面に接触させて、接触亀頭の付け根の背面を囲むように曲げる。使用者は、この装置をそこに保持して優しく自為行為ができる。
【００４３】
一度射精衝動を感じたら、図１２に示すように、ピボットさせるように曲げて亀頭の裏に回した親指と、すぼめた指／手のひらの接続部で陰茎の裏に当てていた装置が、陰茎の裏から離される。これは、スタート／ストップテクニックのストップ要素に対応している。本装置の外観形状は、すぼめた指で挟んで亀頭の裏側に押し当ててピボット操作を容易にする。この点で、側面翼の外形は、使用者の中指及び指の付け根のわずかに隆起した手のひらに続く領域と一致することが重要である。図１、図２及び図１０に示したように、側面翼は、この目的のために窪み領域５を備えている。このような形状は、使用者が自分の手で感覚的に本装置を正しい位置に保持できるように導くことができる。
【００４４】
この訓練は、使用者が後戻りできないポイントに達するまで繰り返される。この技術は、最長３０分まで使用すべきであり、必要に応じて、たまにはさらに長く４５分までとし、これを少なくとも週に３回繰り返す。この訓練プログラムは、６週間は継続すべきである。
【符号の説明】
【００４５】
１  感覚鈍化器具
２  接触部
３  ドーム
５  窪み領域
６  スイッチ
７  振動部材
９  本体
１０  対向側腕部材
１１  弾性刺激ユニット
１２  開口
１４  モータ
１５  バッテリ
１６  振動子
１７  スイッチ要素
１９  回転カム
２０  柔軟薄部材
２１  回転シリンダー
２２  螺旋翼
２３  接触片
３０  モータ
３７  スイッチ要素
【図１】
2013524980.tif 000003
【図２】
2013524980.tif 000004
【図３】
2013524980.tif 000005
【図４】
2013524980.tif 000006
【図５】
2013524980.tif 000007
【図６】
2013524980.tif 000008
【図７】
2013524980.tif 000009
【図８】
2013524980.tif 000010
【図９】
2013524980.tif 000011
【図１０】
2013524980.tif 000012
【図１１】
2013524980.tif 000013
【図１２】
2013524980.tif 000014
【国際調査報告】
2013524980.tif 000015
2013524980.tif 000016
2013524980.tif 000017
2013524980.tif 000018
2013524980.tif 000019